(57)【特許請求の範囲】
【請求項１】
互いに異なる複数の通信方式に準拠して通信する通信モードと、前記通信モードにおける通信特性を試験するための試験モードとを切り替え可能な被試験端末（３０）の前記試験モードでの出力信号を測定する測定装置（１０）であって、
前記複数の通信方式ごとの測定項目を設定する測定項目設定手段（１３）と、
前記試験モードにおいて前記被試験端末が前記測定項目の情報に基づいて出力する信号であって、前記各通信方式で定められた規格のうち、前記被試験端末と呼接続を行うことなく測定可能な規格に関する各試験信号（５１〜５４）が所定時間間隔（Ｇ）を空けて連なっている連続試験信号（５０）を出力するように、前記測定項目設定手段で設定された前記測定項目の情報を前記被試験端末に送信する測定項目情報送信手段（１４）と、
前記連続試験信号を前記被試験端末から受信する連続試験信号受信手段（１４）と、
受信した前記連続試験信号に含まれる前記各試験信号の各特性を前記測定項目について測定する測定手段（２０）と、
を備えたことを特徴とする測定装置。
【請求項２】
前記被試験端末は、前記各通信方式で測定項目ごとの試験信号を予め記憶し、前記試験モードにおいて前記測定装置からの指示により前記各試験信号を連ねて前記測定装置に出力する試験信号出力部（４２）を備え、
前記測定項目情報送信手段は、前記試験信号出力部が前記連続試験信号を出力するように、前記測定項目設定手段で設定された前記測定項目の情報を前記被試験端末に送信するものであることを特徴とする請求項１に記載の測定装置。
【請求項３】
前記連続試験信号受信手段は、同一の通信方式に準拠し互いに信号レベルが異なる少なくとも２つの試験信号を含む連続試験信号（６０）を受信するものであることを特徴とする請求項１又は請求項２に記載の測定装置。
【請求項４】
前記測定手段は、前記各試験信号を順次取り込む取込部（２１）と、前記取込部が取り込んだ順に前記各試験信号の各特性を測定する複数の測定部（２２）と、を備えたことを特徴とする請求項１から請求項３までのいずれか１項に記載の測定装置。
【請求項５】
前記各測定部は、前記取込部が一の試験信号を取り込んだ後に前記一の試験信号に続く試験信号を取り込むのと並行して、前記一の試験信号の各特性を測定するものであることを特徴とする請求項４に記載の測定装置。
【請求項６】
前記各測定部は、前記一の試験信号に続く試験信号を前記取込部が取り込みを開始する開始時より所定時間経過した時点から前記一の試験信号の各特性の測定を開始するものであることを特徴とする請求項５に記載の測定装置。
【請求項７】
請求項１に記載の測定装置（１０）を用いた測定方法であって、
前記複数の通信方式ごとの測定項目を設定する測定項目設定ステップ（Ｓ１２）と、
前記試験モードにおいて前記被試験端末が前記測定項目の情報に基づいて出力する信号であって、前記各通信方式で定められた規格のうち、前記被試験端末と呼接続を行うことなく測定可能な規格に関する各試験信号（５１〜５４）が所定時間間隔（Ｇ）を空けて連なっている連続試験信号（５０）を出力するように、前記測定項目設定ステップにおいて設定された前記測定項目の情報を前記被試験端末に送信する測定項目情報送信ステップ（Ｓ１３）と、
前記連続試験信号を前記被試験端末から受信する連続試験信号受信ステップ（Ｓ１７）と、
受信した前記連続試験信号に含まれる前記各試験信号の各特性を前記測定項目について測定する測定ステップ（Ｓ１９）と、
を含むことを特徴とする測定方法。
【請求項８】
前記被試験端末は、前記各通信方式で測定項目ごとの試験信号を予め記憶し、前記試験モードにおいて前記測定装置からの指示により前記各試験信号を連ねて前記測定装置に出力する試験信号出力部（４２）を備え、
前記測定項目情報送信ステップにおいて、前記試験信号出力部が前記連続試験信号を出力するように、前記測定項目設定ステップで設定された前記測定項目の情報を前記被試験端末に送信することを特徴とする請求項７に記載の測定方法。
【請求項９】
請求項５に記載の測定装置を用いた測定方法であって、
前記測定ステップにおいて、前記取込部が一の試験信号を取り込んだ後に前記一の試験信号に続く試験信号を取り込むのと並行して、前記一の試験信号の各特性を測定することを特徴とする請求項７又は請求項８に記載の測定方法。
【請求項１０】
請求項６に記載の測定装置を用いた測定方法であって、
前記測定ステップにおいて、前記一の試験信号に続く試験信号を前記取込部が取り込みを開始する開始時より所定時間経過した時点から前記一の試験信号の各特性の測定を開始することを特徴とする請求項９に記載の測定方法。
【発明の詳細な説明】
【技術分野】
【０００１】
本発明は、例えば、携帯電話やモバイル端末等の携帯端末の出力信号を測定する測定装置及び測定方法に関する。
【背景技術】
【０００２】
従来、この種の装置としては、特許文献１記載の移動端末機送信パワー測定装置が知られている。
【０００３】
特許文献１記載のものは、移動端末機に対して送信要求する送信パワー変化数及び送信パワー変化量を設定する設定手段と、移動端末機に対して送信パワー変化数及び送信パワー変化量を要求する要求手段と、移動端末機から送信される送信パワーに基づいて移動端末機のスロットを検出するスロット検出手段と、各スロットの電力やスロット間の電力変化量を検出するスロット電力検出手段と、を備えている。
【０００４】
この構成により、特許文献１記載のものは、スロット電力検出手段の検出結果と設定手段の設定情報とを比較して移動端末機の動作チェックが行なえるようになっている。
【先行技術文献】
【特許文献】
【０００５】
【特許文献１】特開２００３−０４６４３１号公報
【発明の概要】
【発明が解決しようとする課題】
【０００６】
ところで、近年、携帯電話に代表される携帯端末の急激な普及にともない、１台の携帯端末で複数の通信方式を利用可能にしたものが開発されている。そのため、この種の携帯端末の製造ラインでは、複数の通信方式ごとの測定項目について、より高速に測定できる測定装置が求められている。
【０００７】
しかしながら、複数の通信方式に対応した携帯端末の測定を、特許文献１記載のもので行おうとした場合、高速化を図ることができないという課題があった。
【０００８】
具体的には、特許文献１記載のもので、例えば５つの通信方式における信号レベルを測定しようとした場合、通信方式に従って呼接続処理をした後に信号レベルを測定する工程を通信方式の数だけ、すなわち５回繰り返すこととなって測定時間が長時間化し、その改善が求められていた。
【０００９】
本発明は、前述のような事情に鑑みてなされたものであり、複数の通信方式に対応した携帯端末の測定に要する時間を短縮することができる測定装置及び測定方法を提供することを目的とする。
【課題を解決するための手段】
【００１０】
本発明の請求項１に係る測定装置は、互いに異なる複数の通信方式に準拠して通信する通信モードと、前記通信モードにおける通信特性を試験するための試験モードとを切り替え可能な被試験端末（３０）の前記試験モードでの出力信号を測定する測定装置（１０）であって、前記複数の通信方式ごとの測定項目を設定する測定項目設定手段（１３）と、前記試験モードにおいて前記被試験端末が前記測定項目の情報に基づいて出力する信号であって、前記各通信方式で定められた規格のうち、前記被試験端末と呼接続を行うことなく測定可能な規格に関する各試験信号（５１〜５４）が所定時間間隔（Ｇ）を空けて連なっている連続試験信号（５０）を出力するように、前記測定項目設定手段で設定された前記測定項目の情報を前記被試験端末に送信する測定項目情報送信手段（１４）と、前記連続試験信号を前記被試験端末から受信する連続試験信号受信手段（１４）と、受信した前記連続試験信号に含まれる前記各試験信号の各特性を前記測定項目について測定する測定手段（２０）と、を備えた構成を有している。
【００１１】
この構成により、本発明の請求項１に係る測定装置は、複数の通信方式に準拠した各試験信号が所定時間間隔をおいて連なった連続試験信号を受信し、受信した連続試験信号に含まれる各試験信号の各特性を測定項目について測定することにより、呼接続等を行うことなく、複数の通信方式に準拠した各試験信号を測定することができる。したがって、本発明の請求項１に係る測定装置は、複数の通信方式に対応した携帯端末の測定に要する時間を短縮することができる。
本発明の請求項２に係る測定装置は、前記被試験端末は、前記各通信方式で測定項目ごとの試験信号を予め記憶し、前記試験モードにおいて前記測定装置からの指示により前記各試験信号を連ねて前記測定装置に出力する試験信号出力部（４２）を備え、前記測定項目情報送信手段は、前記試験信号出力部が前記連続試験信号を出力するように、前記測定項目設定手段で設定された前記測定項目の情報を前記被試験端末に送信するものである構成を有している。
【００１２】
本発明の請求項３に係る測定装置は、前記連続試験信号受信手段は、同一の通信方式に準拠し互いに信号レベルが異なる少なくとも２つの試験信号を含む連続試験信号（６０）を受信するものである構成を有している。
【００１３】
この構成により、本発明の請求項３に係る測定装置は、同一の通信方式において信号レベルを変化させた場合の測定結果を得ることができる。
【００１４】
本発明の請求項４に係る測定装置は、前記測定手段は、前記各試験信号を順次取り込む取込部（２１）と、前記取込部が取り込んだ順に前記各試験信号の各特性を測定する複数の測定部（２２）と、を備えた構成を有している。
【００１５】
この構成により、本発明の請求項４に係る測定装置は、試験信号の取り込みと、取り込み終わった試験信号の測定とを並行して行うことができるので、複数の通信方式に対応した携帯端末の測定に要する時間を短縮することができる。
【００１６】
本発明の請求項５に係る測定装置は、前記各測定部は、前記取込部が一の試験信号を取り込んだ後に前記一の試験信号に続く試験信号を取り込むのと並行して、前記一の試験信号の各特性を測定するものである構成を有している。
【００１７】
この構成により、本発明の請求項５に係る測定装置は、試験信号の取り込みと測定とを並行して行うので、複数の通信方式に対応した被試験端末の測定に要する時間を大幅に短縮することができる。
【００１８】
本発明の請求項６に係る測定装置は、前記各測定部は、前記一の試験信号に続く試験信号を前記取込部が取り込みを開始する開始時より所定時間経過した時点から前記一の試験信号の各特性の測定を開始するものである構成を有している。
【００１９】
この構成により、本発明の請求項６に係る測定装置は、試験信号の取り込みと測定とを並行して行うので、複数の通信方式に対応した被試験端末の測定に要する時間を大幅に短縮することができる。
【００２０】
本発明の請求項７に係る測定方法は、請求項１に記載の測定装置（１０）を用いた測定方法であって、前記複数の通信方式ごとの測定項目を設定する測定項目設定ステップ（Ｓ１２）と、前記試験モードにおいて前記被試験端末が前記測定項目の情報に基づいて出力する信号であって、前記各通信方式で定められた規格のうち、前記被試験端末と呼接続を行うことなく測定可能な規格に関する各試験信号（５１〜５４）が所定時間間隔（Ｇ）を空けて連なっている連続試験信号（５０）を出力するように、前記測定項目設定ステップにおいて設定された前記測定項目の情報を前記被試験端末に送信する測定項目情報送信ステップ（Ｓ１３）と、前記連続試験信号を前記被試験端末から受信する連続試験信号受信ステップ（Ｓ１７）と、受信した前記連続試験信号に含まれる前記各試験信号の各特性を前記測定項目について測定する測定ステップ（Ｓ１９）と、を含む構成を有している。
【００２１】
この構成により、本発明の請求項７に係る測定方法は、複数の通信方式に準拠した各試験信号が所定時間間隔をおいて連なった連続試験信号を受信し、受信した連続試験信号に含まれる各試験信号の各特性を測定項目について測定することにより、呼接続等を行うことなく、複数の通信方式に準拠した各試験信号を測定することができる。したがって、本発明の請求項７に係る測定方法は、複数の通信方式に対応した携帯端末の測定に要する時間を短縮することができる。
本発明の請求項８に係る測定方法は、前記被試験端末は、前記各通信方式で測定項目ごとの試験信号を予め記憶し、前記試験モードにおいて前記測定装置からの指示により前記各試験信号を連ねて前記測定装置に出力する試験信号出力部（４２）を備え、前記測定項目情報送信ステップにおいて、前記試験信号出力部が前記連続試験信号を出力するように、前記測定項目設定ステップで設定された前記測定項目の情報を前記被試験端末に送信する構成を有している。
【００２２】
本発明の請求項９に係る測定方法は、請求項５に記載の測定装置を用いた測定方法であって、前記測定ステップにおいて、前記取込部が一の試験信号を取り込んだ後に前記一の試験信号に続く試験信号を取り込むのと並行して、前記一の試験信号の各特性を測定する構成を有している。
【００２３】
この構成により、本発明の請求項９に係る測定方法は、試験信号の取り込みと測定とを並行して行うので、複数の通信方式に対応した被試験端末の測定に要する時間を大幅に短縮することができる。
【００２４】
本発明の請求項１０に係る測定方法は、請求項６に記載の測定装置を用いた測定方法であって、前記測定ステップにおいて、前記一の試験信号に続く試験信号を前記取込部が取り込みを開始する開始時より所定時間経過した時点から前記一の試験信号の各特性の測定を開始する構成を有している。
【００２５】
この構成により、本発明の請求項１０に係る測定方法は、試験信号の取り込みと測定とを並行して行うので、複数の通信方式に対応した被試験端末の測定に要する時間を大幅に短縮することができる。
【発明の効果】
【００２６】
本発明は、複数の通信方式に対応した携帯端末の測定に要する時間を短縮することができるという効果を有する測定装置及び測定方法を提供することができるものである。
【図面の簡単な説明】
【００２７】
【図１】本発明に係る測定装置の一実施形態におけるブロック構成図である。
【図２】本発明に係る測定装置の測定対象である携帯端末が出力する連続試験信号の説明図である。
【図３】本発明に係る測定装置の一実施形態における測定手段のブロック構成図である。
【図４】本発明に係る測定装置の一実施形態における測定手段の動作についての説明図である。
【図５】本発明に係る測定装置の一実施形態における動作を示すフローチャートである。
【図６】本発明に係る測定装置の一実施形態における表示部が表示する測定結果の表示例を示す図である。
【発明を実施するための形態】
【００２８】
以下、本発明の実施形態について図面を用いて説明する。
【００２９】
図１に示すように、本実施形態における測定装置１０は、被試験端末としての携帯端末３０の出力信号を測定するものである。携帯端末３０は、複数の通信方式に対応したものであり、各通信方式に従って基地局と通信する通信モードと、この通信モードにおける通信特性を試験するための試験モードとを切り替えることができるようになっている。
【００３０】
測定装置１０は、操作部１１、動作モード設定部１２、測定項目設定部１３、送受信部１４、測定手段２０、表示部１５を備えている。
【００３１】
操作部１１は、携帯端末３０の測定における各測定条件の入力や、表示部１５の表示内容を設定するため、試験者が操作するものである。例えば、操作部１１は、キーボード、ダイヤル又はマウスのような入力デバイス、測定条件等を表示するディスプレイ、これらを制御する制御回路やソフトウェア等で構成されている。
【００３２】
動作モード設定部１２は、操作部１１からの信号に基づき、携帯端末３０の動作モードを設定するようになっている。すなわち、動作モード設定部１２は、携帯端末３０に対して、動作モード又は試験モードのいずれか一方を指示するものである。
【００３３】
測定項目設定部１３は、操作部１１からの信号に基づき、試験モードにおける測定項目を設定するようになっている。この測定項目設定部１３は、本発明に係る測定項目設定手段を構成する。
【００３４】
送受信部１４は、例えば同軸ケーブルにより携帯端末３０の送受信部３１に接続されており、送受信部３１と通信するようになっている。この送受信部１４は、本発明に係る測定項目情報送信手段、連続試験信号受信手段を構成する。
【００３５】
具体的には、送受信部１４は、送信系回路及び受信系回路を備えている。送信系回路は、ＤＡ（Digital to Analog）変換器、アンプ、フィルタ、周波数可変局部発振器、アップコンバータ、送信アンテナ等を備えている。受信系回路は、ＡＤ（Analog to Digital）変換器、フィルタ、アンプ、ダウンコンバータ、周波数可変局部発振器、受信アンテナ等を備えている。
【００３６】
この構成により、送受信部１４は、動作モード設定部１２及び測定項目設定部１３から入力するデジタル信号を所定周波数帯域のＲＦ（無線周波数）信号に変換し、送受信部３１に送信することができる。また、送受信部１４は、送受信部３１から所定周波数帯域のＲＦ信号を受信し、デジタル信号に変換して測定手段２０に出力することができる。
【００３７】
測定手段２０は、送受信部１４の出力信号を取り込む取込部２１と、取込部２１が取り込んだ信号を測定する測定部２２と、測定部２２の測定結果のデータを記憶する測定結果記憶部２３と、を備えている。
【００３８】
表示部１５は、測定結果記憶部２３に記憶された測定結果のデータを読み出して表示するようになっている。
【００３９】
携帯端末３０は、送受信部３１、ＢＢＩＣ（ベースバンド集積回路）３２、マルチモードＲＦＩＣ（高周波集積回路）４０を備え、通信モード又は試験モードのいずれか一方のモードで動作するようになっている。なお、図示を省略したが、携帯端末３０は、ＣＰＵ、ＲＯＭ、ＲＡＭ等を備え、ＲＯＭに予め記憶されたプログラムに従って動作するようになっている。
【００４０】
送受信部３１は、通信モードにおいて、所定の通信方式に従って、基地局（図示せず）と通信するようになっている。また、送受信部３１は、試験モードにおいて、測定装置１０の測定項目設定部１３が設定した測定項目の情報を受信し、この測定項目について測定するための予め定められた試験信号を送信するようになっている。
【００４１】
ＢＢＩＣ３２は、通信モードの送信時において、送信すべきデータをベースバンド信号としてマルチモードＲＦＩＣ４０に送出し、通信モードの受信時において、マルチモードＲＦＩＣ４０から受けたベースバンド信号を受信データとして処理する機能を有する。ＢＢＩＣ３２とマルチモードＲＦＩＣ４０との間の通信は、所定のインタフェースにより、デジタル信号でベースバンド信号や制御信号をやりとりするようになっている。
【００４２】
マルチモードＲＦＩＣ４０は、複数の通信方式に対応した高周波集積回路であって、変復調処理部４１、試験信号出力部４２を備えている。
【００４３】
マルチモードＲＦＩＣ４０は、通信モードの送信時において、ＢＢＩＣ３２から受信したベースバンド信号を受けて、このベースバンド信号により搬送波を変調し、基地局と通信するためのＲＦ信号として送出するとともに、通信モードの受信時において、基地局からのＲＦ信号を受けて、ベースバンド信号を復調してＢＢＩＣ３２に送出する機能を有する。
【００４４】
一方、マルチモードＲＦＩＣ４０は、試験モードにおいて、試験信号出力部４２が出力する、複数の通信方式に準拠して生成した試験信号を送受信部３１に出力するようになっている。
【００４５】
ここで、携帯端末３０が利用可能な通信方式及び携帯端末３０が出力する試験信号の一例について図２を用いて説明する。
【００４６】
図２（ａ）の左側のテーブルに示すように、携帯端末３０は、６種類の通信方式に対応可能な構成となっている。すなわち、携帯端末３０は、ＷＣＤＭＡ（Wideband Code Division Multiple Access）、ＧＳＭ（登録商標）（Global System for Mobile Communications）、ＬＴＥ（Long Term Evolution）、ＣＤＭＡ２０００（Code Division Multiple Access 2000）、ＥＶＤＯ（Evolution Data Only）、ＴＤＳＣＤＭＡ（Time Division Synchronous Code Division Multiple Access）の各通信方式に従った通信を行うことができるものである。
【００４７】
なお、測定装置１０が測定対象とする携帯端末は、前述の６種類の各通信方式に従って通信するものに限定されない。例えば、測定装置１０は、Ｗｉ−Ｆｉ（登録商標）規格に準拠した無線ＬＡＮ（Local Area Network）の通信方式を含む、複数の通信方式に対応した携帯端末を測定対象とすることができる。
【００４８】
変復調処理部４１は、通信モードの送信時において、前述の６種類の各通信方式のいずれか１つに従って、ＢＢＩＣ３２からのベースバンド信号により搬送波を変調し、通信モードの受信時において、基地局からのＲＦ信号を入力してベースバンド信号を復調するようになっている。
【００４９】
試験信号出力部４２は、試験モードにおいて、前述の６種類のうちの少なくとも２つの通信方式に従った、予め定められた試験信号を出力するようになっている。この試験信号は、各通信方式で定められた規格のうち、呼接続を行うことなく測定可能な規格に関するものである。試験信号の測定項目としては、例えば、図２（ａ）の右側のテーブルに示すものが挙げられる。すなわち、測定項目としては、信号レベル（ＬＶ）、変調精度（ＥＶＭ）、占有帯域幅（ＯＢＷ）、スプリアスエミッションマスク（ＳＥＭ）である。試験信号出力部４２は、これらの測定項目の情報を測定装置１０の測定項目設定部１３から受信し、受信した測定項目について測定するための試験信号を出力する。
【００５０】
試験信号出力部４２は、さらに、各通信方式に従った試験信号が所定時間間隔をおいて連なった連続試験信号を出力するようになっている。具体的には、試験信号出力部４２は、図２（ｂ）に示す連続試験信号５０や、図２（ｃ）に示すに連続試験信号６０を出力するものである。
【００５１】
図２（ｂ）に示すように、連続試験信号５０は、４つの通信方式の試験信号を含む。すなわち、連続試験信号５０は、先端ａから後端ｂまでの間に、ＷＣＤＭＡ試験信号５１（記号Ａ）、ＧＳＭ（登録商標）試験信号５２（記号Ｂ）、ＬＴＥ試験信号５３（記号Ｃ）、ＣＤＭＡ２０００試験信号５４（記号Ｄ）と、各試験信号間に設けられた所定の時間ギャップＧと、を含んでいる。ここで、各試験信号（Ａ〜Ｄ）の各時間長、各時間ギャップＧは、通信方式や測定項目、マルチモードＲＦＩＣ４０の処理能力等によって変動する。一例を挙げれば、各試験信号の時間長は１秒〜数秒程度、時間ギャップＧは１秒程度である。
【００５２】
図２（ｂ）において、ＷＣＤＭＡ試験信号５１は信号レベル、ＧＳＭ（登録商標）試験信号５２は信号レベル及び変調精度、ＬＴＥ試験信号５３は占有帯域幅、ＣＤＭＡ２０００試験信号５４はスプリアスエミッションマスクをそれぞれ測定するためのものとして構成されている。
【００５３】
また、図２（ｃ）に示すように、連続試験信号６０は、同一の通信方式に準拠し互いに信号レベルが異なる２つの試験信号を含む。すなわち、連続試験信号６０は、先端ａから後端ｂまでの間に、互いに信号レベルが異なる２つのＷＣＤＭＡ試験信号６１及び６２（記号Ａ）、互いに信号レベルが異なる２つのＧＳＭ（登録商標）試験信号６３及び６４（記号Ｂ）と、各試験信号間に設けられた所定の時間ギャップＧと、を含んでいる。
【００５４】
図２（ｃ）において、ＷＣＤＭＡ試験信号６１及び６２はともに信号レベルを測定するための信号であるが、各信号レベルは互いに異なっている。同様に、ＧＳＭ（登録商標）試験信号６３及び６４も信号レベルを測定するための信号であるが、各信号レベルは互いに異なっている。
【００５５】
また、図２（ｃ）において、連続試験信号６０が、例えば、ＷＣＤＭＡ試験信号６１内において信号レベルが徐々に低下し、ＷＣＤＭＡ試験信号６２内において信号レベルが徐々に増加するものでもよい。また、連続試験信号６０が、同一の通信方式に準拠し互いに信号レベルが異なる３つ以上の試験信号を含むものでもよい。例えば、連続試験信号６０が、互いに信号レベルが異なる３つのＷＣＤＭＡ試験信号と、互いに信号レベルが異なる５つのＧＳＭ（登録商標）試験信号と、を含むものでもよい。
【００５６】
なお、試験信号出力部４２は、各通信方式で測定項目ごとの試験信号を予め記憶しておいて、測定装置１０からの指示により各試験信号を連ねて連続試験信号を測定装置１０に出力するようにしてもよい。また、試験信号出力部４２は、予め用意したベースバンド信号を変復調処理部４１に出力して、変復調処理部４１が各通信方式に従った変調を行って連続試験信号を生成し、測定装置１０に出力するようにしてもよい。
【００５７】
図２（ｂ）及び図２（ｃ）に示したように、携帯端末３０は、試験モードにおいては、通信方式に定められた呼接続等の手続きは行わず、各通信方式に準拠した試験信号を出力することができる。
【００５８】
次に、測定手段２０の詳細な構成について、図３を用いて説明する。
【００５９】
図３に示すように、測定手段２０は、取込部２１、測定部２２、測定結果記憶部２３を備えている。この測定手段２０は、例えば、ＣＰＵ、ＲＯＭ、ＲＡＭ等を備えた制御部と、ＲＯＭに予め記憶されたプログラムで構成され、測定項目設定部１３から測定情報を取得し、所定の試験信号の測定を行うようになっている。
【００６０】
取込部２１は、送受信部１４が携帯端末３０から受信した連続試験信号を入力し、連続試験信号に含まれる各通信方式の試験信号を順次取り込んで記憶するようになっている。
【００６１】
測定部２２は、複数の通信方式の試験信号を測定できるよう、複数の測定部を備えている。本実施形態では、携帯端末３０が利用可能な６種類の通信方式に対応するため、測定部２２は、第１測定部２２ａ、第２測定部２２ｂ、第３測定部２２ｃ、第４測定部２２ｄ第５測定部２２ｅ、第６測定部２２ｆの６つの測定部を備えている。例えば、第１測定部２２ａはＷＣＤＭＡ方式の試験信号、第２測定部２２ｂはＧＳＭ（登録商標）方式の試験信号、第３測定部２２ｃはＬＴＥ方式の試験信号というように、各試験信号を測定するようになっている。
【００６２】
測定結果記憶部２３は、例えばＲＡＭで構成され、第１測定部２２ａから第６測定部２２ｆまでの測定部が測定した測定結果のデータを記憶するようになっている。
【００６３】
次に、測定手段２０の動作について、図４を用いて具体的に説明する。
【００６４】
図４（ａ）は、測定手段２０が入力する連続試験信号７０の波形を模式的に示している。この連続試験信号７０は、先端ａから後端ｂまでの間に、第１〜第５の互いに異なる通信方式（ＳＴＤ１〜ＳＴＤ５）による各試験信号７１〜７５と、時間ギャップＧ１〜Ｇ６と、を含む。
【００６５】
図４（ｂ）は、取込部２１が、各試験信号７１〜７５を取り込む期間を示している。図示のように、取込部２１は、各試験信号７１〜７５の開始位置と終了位置との間の信号を取り込む。
【００６６】
図４（ｃ）は、測定部２２が、各試験信号７１〜７５を測定するタイミングを示している。図示のように、第１測定部２２ａ〜第５測定部２２ｅは、それぞれ、各試験信号７１〜７５の取り込みが終了した時点から各試験信号７１〜７５の測定を開始している。なお、第１測定部２２ａ〜第５測定部２２ｅが、各試験信号７１〜７５の取り込み開始時より所定時間経過した時点から各試験信号７１〜７５の測定を開始する構成としてもよい。
【００６７】
図４（ｄ）は、測定結果記憶部２３が、各試験信号７１〜７５について各測定結果のデータを取得するタイミングを示している。図示のように、各測定結果のデータは、測定結果記憶部２３に時系列に記憶される。
【００６８】
図４に示したように、測定手段２０は、各試験信号７１〜７５の取り込みと測定とを並行して行う構成となっているので、複数の通信方式に対応した携帯端末の測定に要する時間を大幅に短縮することができる。
【００６９】
また、測定手段２０は、各試験信号７１〜７５の切り替えに合わせて、換言すれば携帯端末３０の各試験信号出力のタイミングに合わせて、各試験信号の取り込み及び測定を実施できるので、試験信号の時間長や時間ギャップ長の仕様が異なる多種多様な携帯端末に対応でき、それらの測定に要する時間を大幅に短縮することができる。
【００７０】
次に、本実施形態における測定装置１０の動作について、図１に示したブロック構成図を適宜参照しながら図５に示すフローチャートを用いて説明する。
【００７１】
動作モード指示部１２は、試験者が操作部１１を操作することにより試験モードが設定された場合、携帯端末３０の動作モードが試験モードになるよう制御信号を送受信部１４に出力する。この制御信号は、送受信部１４において、ＤＡ変換された後アップコンバータにより所定周波数のＲＦ信号に変換されて携帯端末３０に送信される。その結果、携帯端末３０の動作モードは試験モードに設定される（ステップＳ１１）。
【００７２】
測定項目設定部１３は、試験者の操作部１１の操作に基づいて、通信方式ごとの測定項目の情報を設定し（ステップＳ１２）、送受信部１４に出力する。測定項目の情報は、送受信部１４において、ＤＡ変換された後アップコンバータにより所定周波数のＲＦ信号に変換されて携帯端末３０に送信される（ステップＳ１３）。また、測定項目の情報は、測定手段２０にも出力される。
【００７３】
携帯端末３０の送受信部３１は、測定項目の情報を受信し（ステップＳ１４）、ダウンコンバータにより所定の中間周波数信号に変換した後にＡＤ変換してマルチモードＲＦＩＣ４０に出力する。
【００７４】
マルチモードＲＦＩＣ４０の試験信号出力部４２は、受信した通信方式ごとの測定項目の情報に基づいて連続試験信号（例えば図２（ｂ））を生成し（ステップＳ１５）、送受信部３１に出力する。
【００７５】
送受信部３１は、試験信号出力部４２から入力した連続試験信号をＤＡ変換した後アップコンバータにより所定周波数のＲＦ信号に変換して測定装置１０に送信する（ステップＳ１６）。
【００７６】
測定装置１０の送受信部１４は、連続試験信号を受信し（ステップＳ１７）、ダウンコンバータにより所定の中間周波数信号に変換した後にＡＤ変換して測定手段２０に出力する。
【００７７】
なお、連続試験信号の送受信において、連続試験信号に含まれる試験信号ごと（通信方式ごと）に、互いに異なる周波数帯域のＲＦ信号を用いる構成とすることもできる。この場合、測定装置１０の送受信部１４において、周波数可変局部発振器の局部発振周波数を通信方式ごとに切り替えてダウンコンバートする構成とすればよい。
【００７８】
測定手段２０の取込部２１は、図４（ａ）に示したように連続試験信号に含まれる通信方式ごとの試験信号を順次取り込む（ステップＳ１８）。
【００７９】
測定部２２において、第１測定部２２ａ、第２測定部２２ｂ等は、取込部２１が取り込んだ通信方式ごとの試験信号をそれぞれ測定し（ステップＳ１９）、測定結果のデータを測定結果記憶部２３に出力する。測定結果記憶部２３は、測定結果のデータを順次記憶する。
【００８０】
表示部１５は、測定結果記憶部２３から測定結果のデータを読み出し、通信方式ごとの試験信号の測定結果を表示する（ステップＳ２０）。
【００８１】
表示部１５が表示する測定結果の表示例を図６に示す。図６において、通信方式がＳＴＤ１〜ＳＴＤ５の試験信号に対する測定結果が示されている。例えば、通信方式がＳＴＤ１の試験信号に対しては信号レベル、通信方式がＳＴＤ２の試験信号に対しては信号レベル及び占有帯域幅の測定結果が示されている。なお、測定結果の表示画面では、測定値のみの結果を示すのみでもよいが、測定結果が予め定められた規格範囲内にあるか否かを記号で示すこととしてもよい。
【００８２】
以上のように、本実施形態における測定装置１０は、複数の通信方式ごとの試験信号を含む連続試験信号を受信して各試験信号を測定する構成としたので、呼接続等を行うことなく、複数の通信方式に準拠した各試験信号を測定することができる。したがって、測定装置１０は、複数の通信方式に対応した携帯端末の測定に要する時間を短縮することができる。
【産業上の利用可能性】
【００８３】
以上のように、本発明に係る測定装置及び測定方法は、複数の通信方式に対応した携帯端末の測定に要する時間を短縮することができるという効果を有し、携帯電話やモバイル端末等の携帯端末の出力信号を測定する測定装置及び測定方法として有用である。
【符号の説明】
【００８４】
１０  測定装置
１１  操作部
１２  動作モード設定部
１３  測定項目設定部（測定項目設定手段）
１４  送受信部（測定項目情報送信手段、連続試験信号受信手段）
１５  表示部
２０  測定手段
２１  取込部
２２  測定部
２２ａ  第１測定部
２２ｂ  第２測定部
２２ｃ  第３測定部
２２ｄ  第４測定部
２２ｅ  第５測定部
２２ｆ  第６測定部
２３  測定結果記憶部
３０  携帯端末（被試験端末）
３１  送受信部
３２  ＢＢＩＣ
４０  マルチモードＲＦＩＣ
４１  変復調処理部
４２  試験信号出力部
５０、６０、７０  連続試験信号
７１〜７５  各通信方式に準拠した試験信号
【図１】
0005588524.tif 000002
【図２】
0005588524.tif 000003
【図３】
0005588524.tif 000004
【図４】
0005588524.tif 000005
【図５】
0005588524.tif 000006
【図６】
0005588524.tif 000007